(57)【要約】【課題】火災であることを確実に判断できる状況にあるときに、予作動弁を速やかに開放することができる予作動式スプリンクラ消火設備を提供することを目的とする。【解決手段】予作動式スプリンクラ消火設備において、防護領域にマイクが設けられ、防護領域で起きた火災を人が発見したときに、「火事だ」等の火災確定語句を人が発声すると、マイクに入力された声を音声認識部が音声認識し、制御部に火災語句確定信号が送信され、このときに火災感知器から火災信号が送信されていれば、上記制御部が予作動弁を開放する。【選択図】図２
2011189055.tif 000002
【特許請求の範囲】
【請求項１】
予作動弁と、この予作動弁の二次側に設けられている二次側配管に接続されているスプリンクラヘッドと、このスプリンクラヘッドが設けられている防護領域と同じ防護領域に設けられ、火災を検出する火災感知器と、上記火災感知器から送信された火災信号に基づいて、上記予作動弁を開放する制御盤とを具備する予作動式スプリンクラ消火設備において、
上記防護領域内の音を収集する音声収集部と；
上記音声収集部が収集した音声を認識し、上記収集した音声が火災確定語句であるかどうかを判断する音声認識部と；
上記音声認識部が火災確定語句であると判断し、しかも、上記火災感知器が上記火災を検出すると、上記予作動弁を開放する制御部と；
を有することを特徴とする予作動式スプリンクラ消火設備。
【請求項２】
請求項１において、
上記制御部は、上記火災感知器が上記火災を検出した後に、上記音声認識部が火災確定語句であると判断すると、上記予作動弁を開放する手段であり、また、上記音声認識部が火災確定語句であると判断した後に、上記火災感知器が上記火災を検出すると、上記予作動弁を開放する手段であり、さらには、上記火災感知器が上記火災を検出すると同時に上記音声認識部が火災確定語句であると判断すると、上記予作動弁を開放する手段であることを特徴とする予作動式スプリンクラ消火設備。
【請求項３】
請求項１において、
上記制御部から火災信号を受信すると、所定時間をカウントし、このカウントが終了すると、カウント終了信号を上記制御部に送る火災信号蓄積部を有し、
上記制御部は、上記音声認識部が火災確定語句であると判断すると、上記火災信号蓄積部による所定時間のカウント中に、上記火災信号蓄積部によるカウントを解除させるカウント解除信号を、上記火災信号蓄積部に送信する手段であることを特徴とする予作動式スプリンクラ消火設備。
【請求項４】
請求項１〜請求項３のいずれか１項において、
上記火災確定語句は、火事を示す語句またはこの語句を含む語句であることを特徴とする予作動式スプリンクラ消火設備。
【発明の詳細な説明】
【技術分野】
【０００１】
本発明は、予作動式スプリンクラ消火設備に関する。
【背景技術】
【０００２】
従来の予作動式スプリンクラ消火設備は、火災が発生すると火災感知器が火災を感知して火災信号を制御盤に送る。火災信号を受信して火災と判断した制御盤は、予作動式の流水検知装置（以下、「予作動弁」という）に信号を送り、予作動弁の弁体を開放し、送水の準備を行う。その後、火災の熱によってスプリンクラヘッドが作動すると、そのスプリンクラヘッドから放水される（たとえば、特許文献１参照）。
【０００３】
火災感知器は設置環境の状況によって、誤報を起こすことがある。この誤報を減らすために、１回目の火災信号を受信してから所定時間が経過した後に火災を検知し、発報する「蓄積機能」を火災感知器または火災受信機に設ける。このようにして、予作動弁の誤報による開放を防止する。
【先行技術文献】
【特許文献】
【０００４】
【特許文献１】特開平７−２０４２９０号公報
【発明の概要】
【発明が解決しようとする課題】
【０００５】
しかし、誤報防止のために、火災感知器や火災受信機等の火災報知設備を構成する機器に蓄積機能を設けた場合、所定時間が経過しないと、火災であることを火災受信機や制御盤が判断しないので、火災発報や予作動弁の開放が遅れることがあるという問題がある。
【０００６】
本発明は、火災であることを確実に判断できる状況時に、予作動弁を速やかに開放することができる予作動式スプリンクラ消火設備を提供することを目的とする。
【課題を解決するための手段】
【０００７】
本発明は、予作動式スプリンクラ消火設備において、防護領域にマイクが設けられ、防護領域で起きた火災を人が発見したときに、「火事だ」等の火災確定語句を人が発声すると、マイクに入力された声を音声認識部が音声認識し、制御部に火災語句確定信号が送信され、このときに火災感知器から火災信号が送信されていれば、上記制御部が予作動弁を開放する。
【発明の効果】
【０００８】
本発明によれば、予作動式スプリンクラ消火設備において、火災であることを確実に判断できる。その結果、予作動弁を速やかに開放することができるという効果を奏する。
【図面の簡単な説明】
【０００９】
【図１】本発明の実施例１である予作動式スプリンクラ消火設備１００を示すブロック図である。
【図２】予作動式スプリンクラ消火設備１００に設けられている制御盤ＲＥ１の構成を示すブロック図である。
【図３】本発明の実施例２である予作動式スプリンクラ消火設備２００を示すブロック図である。
【図４】予作動式スプリンクラ消火設備２００に設けられている制御盤ＲＥ２の構成を示すブロック図である。
【発明を実施するための形態】
【００１０】
発明を実施するための形態は、以下の実施例である。
【実施例１】
【００１１】
図１は、本発明の実施例１である予作動式スプリンクラ消火設備１００を示すブロック図である。
【００１２】
予作動式スプリンクラ消火設備１００は、火災感知器ＳＥ１、ＳＥ２と、スプリンクラヘッドＳＨ１、ＳＨ２と、音声収集部Ｍ１と、制御盤ＲＥ１と、水槽ＷＢ１と、ポンプＰ１と、末端試験弁Ｂ２とを有する。
【００１３】
スプリンクラヘッドＳＨ１、ＳＨ２と、火災感知器ＳＥ１、ＳＥ２と、音声収集部Ｍ１とは、同一防護領域Ｒ１に設けられている。
【００１４】
予作動弁Ｂ１は、流水検知装置を備えた予作動式の開閉弁であり、予作動弁の二次側に接続されている配管内の圧力を監視するとともに、配管内の流水を検知する。スプリンクラヘッドＳＨ１、ＳＨ２は、予作動弁Ｂ１の二次側に設けられている二次側配管に接続されており、火災の熱によって開放する。火災感知器ＳＥ１、ＳＥ２は、スプリンクラヘッドＳＨ１、ＳＨ２が設けられている防護領域Ｒ１と同じ防護領域に設けられ、火災を検出する。火災感知器ＳＥ１は、火災検出部１１と、火災信号送信部１２とを有する。火災感知器ＳＥ２の構成は、火災感知器ＳＥ１の構成と同様である。
【００１５】
なお、火災感知器は、防護領域Ｒ１に複数個設けられていてもよく、また、スプリンクラヘッドも、防護領域Ｒ１に複数個設けられていていもよい。音声収集部Ｍ１は、防護領域Ｒ１内の音を収集するマイクロホンであり、防護領域Ｒ１に複数個設けられていてもよい。
【００１６】
制御盤ＲＥ１は、火災感知器ＳＥ１、ＳＥ２から送信された火災信号に基づいて、予作動弁Ｂ１を開放する。
【００１７】
図２は、予作動式スプリンクラ消火設備１００に設けられている制御盤ＲＥ１の構成を示すブロック図である。
【００１８】
制御盤ＲＥ１は、制御部２０と、火災信号受信部２１と、音声認識部２２と、開放信号送信部２３とを有する。
【００１９】
火災信号受信部２１は、火災感知器ＳＥ１、ＳＥ２の火災信号送信部から送信された火災信号を受信する。音声認識部２２は、音声収集部Ｍ１が収集した音声を認識し、上記収集した音声が火災確定語句であるかどうかを判断する。上記火災確定語句は、防護領域Ｒ１で起きた火災を人が発見したときに発声する語句であり、「火事」、「火事、火事」、「火事よ」、「火が出た」等、火事を示す語句またはこの語句を含む語句である。「火事」、「火事、火事」は、火事を示す語句であり、「火事だ」、「火事よ」、「火が出た」は、火事を示す語句を含む語句である。
【００２０】
開放信号送信部２３は、予作動弁を開放する開放信号を予作動弁Ｂ１に送信する。
【００２１】
制御部２０は、火災感知器ＳＥ１、ＳＥ２から火災信号を受信し、音声認識部２２が火災確定語句であると判断すると、予作動弁Ｂ１を開放する手段であり、また、制御部２０は音声認識部２２が火災確定語句であると判断した後に、火災感知器ＳＥ１、ＳＥ２から火災信号を受信すると、予作動弁Ｂ１を開放する手段であり、さらには、制御部２０は火災感知器ＳＥ１、ＳＥ２から上記火災信号を受信すると同時に音声認識部２２が火災確定語句であると判断すると、予作動弁Ｂ１を開放する手段である。
【００２２】
つまり、制御部２０は、音声認識部２２が火災確定語句であると判断し、しかも、火災感知器ＳＥ１、ＳＥ２から火災信号を受信すると、予作動弁Ｂ１を開放する。
【００２３】
次に、実施例１の動作について説明する。なお、火災感知器ＳＥ１に着目して動作説明するが、火災感知器ＳＥ２が火災感知した場合も、以下の説明と同様である。
【００２４】
（１）まず、火災感知器ＳＥ１の火災検出部１１が火災を感知すると、火災信号を出力する。これによって、火災信号受信部２１が火災信号を受信し、制御部２０に送る。
【００２５】
（２）そして、防護領域Ｒ１内で、人が火災を発見し、「火事だ」と発声すると、この音声（火災確定語句）を音声収集部Ｍ１が収集し、つまり、音声収集部Ｍ１が音声（火災確定語句）を音声認識部２２に送る。音声収集部Ｍ１が収集した音声を音声認識部２２が認識し、つまり、上記収集した音声を、図示しないデータベースに保存されている火災確定語句と比較し、一致した場合に、火災確定語句であると音声認識部２２が判断する。音声認識部２２が火災確定語句であると判断すると、音声認識部２２が火災語句確定信号を制御部２０に出力する。
【００２６】
（３）音声収集部Ｍ１が収集した音声を音声認識部２２が火災確定語句であると判断し、しかも、火災信号受信部２１が火災信号を受信すると、制御部２０が、開放信号送信部２３を介して火災信号を送り、予作動弁Ｂ１を開放する。さらに、ポンプＰ１が起動され、水槽ＷＢ１の水がスプリンクラヘッドＳＨ１、ＳＨ２に供給される。
【００２７】
（４）予作動弁Ｂ１が開放されると、消火水がスプリンクラヘッドＳＨ１、ＳＨ２に供給され、スプリンクラヘッドＳＨ１、ＳＨ２に設けられているハンダが火災の熱によって溶けると、スプリンクラヘッドＳＨ１、ＳＨ２が放水を開始する。
【００２８】
実施例１によれば、予作動式スプリンクラ消火設備において、人が「火事だ」等の火災確定語句を発声するときは、火災であることを確実に判断できる状況にあるときであり、このときに、予作動弁Ｂ１を開放するので、予作動弁Ｂ１を速やかに開放することができる。また、火災感知器ＳＥ１、ＳＥ２の誤報による予作動弁Ｂ１の開放を防止することができる。つまり、実施例１は、火災語句確定信号と火災信号とのＡＮＤ処理を行っているので、誤報による予作動弁Ｂ１の開放を防止することができる。
【００２９】
なお、実施例１において、火災が発生し、「火事だ」の声が生じなかった場合でも、火災感知器ＳＥ１、ＳＥ２が出力した火災信号を火災信号受信部２１が受信し、さらに、火災によってスプリンクラヘッドＳＨ１またはＳＨ２のハンダが溶け、二次側配管に充填された圧縮空気、または水が放出するので、予作動弁Ｂ１の２次側の圧力は低下する。予作動弁Ｂ１は、二次側配管の圧力を監視しており、二次側配管の圧力が低下すると弁を開く。これによって、予作動弁Ｂ１が開き、ポンプＰ１が起動されるので、スプリンクラヘッドＳＨ１、ＳＨ２から放水される。つまり、火災が発生した場合、「火事だ」の声が生じなくても、スプリンクラヘッドＳＨ１、ＳＨ２から放水される。
【実施例２】
【００３０】
図３は、本発明の実施例２である予作動式スプリンクラ消火設備２００を示すブロック図である。
【００３１】
予作動式スプリンクラ消火設備２００は、基本的には、予作動式スプリンクラ消火設備１００の構成と同様であるが、予作動式スプリンクラ消火設備１００において、制御盤ＲＥ１の代わりに、制御盤ＲＥ２を有する。
【００３２】
図４は、予作動式スプリンクラ消火設備２００に設けられている制御盤ＲＥ２の構成を示すブロック図である。
【００３３】
制御盤ＲＥ２は、制御盤ＲＥ１において、制御部２０の代わりに、制御部３０が設けられ、火災信号蓄積部３１が設けられている。つまり、制御盤ＲＥ２は、火災信号受信部２１と、音声認識部２２と、開放信号送信部２３と、制御部３０と、火災信号蓄積部３１とを有する。
【００３４】
火災信号蓄積部３１は、制御部３０から火災信号を受信すると、所定時間のカウントを開始し、この所定時間のカウントが終了すると、所定時間のカウントが終了したことを示すカウント終了信号を制御部３０に出力する。
【００３５】
制御部３０は、火災信号受信部２１から火災信号を受信すると、火災信号蓄積部３１に火災信号を送り、所定時間のカウントを火災信号蓄積部３１に開始させる。また、所定時間のカウントを終了したことを示すカウント終了信号を、火災信号蓄積部３１から受信し、このときに、火災信号受信部２１が火災信号を再び受信すると、または、感知器のセンサ出力が火災閾値以上であると、制御部３０は、予作動弁Ｂ１を開放することを指令する開放信号を開放信号送信部２３に送る。また制御部３０は、火災信号蓄積部３１が所定時間のカウント中に、音声収集部Ｍ１が収集した音声を音声認識部２２が火災確定語句であると判断すると、カウントを中止させるカウント解除信号を、火災信号蓄積部３１に送信する。
【００３６】
カウント解除信号を受信した火災信号蓄積部３１は、カウントを中止する。カウントを中止したときに、火災信号受信部が、火災信号を受信していれば、制御部２０は開放信号を開放信号送信部２３に送る。
【００３７】
制御盤ＲＥ２から予作動弁Ｂ１が開放信号を受信すると、予作動弁Ｂ１を開放する
次に、実施例２の動作について説明する。なお、火災感知器ＳＥ１に着目して動作説明するが、火災感知器ＳＥ２が火災感知した場合も、以下の説明と同様である。
【００３８】
（１）まず、火災感知器ＳＥ１の火災検出部１１が火災を感知すると、火災信号送信部１２から火災信号を出力する。これによって、制御盤ＲＥ２に備えられている火災信号受信部２１が火災信号を受信し、制御部３０に送る。
【００３９】
（２）火災信号蓄積部３１は、制御部３０が火災信号を受信すると、所定時間（最大６０秒）のカウント（蓄積）を開始する。火災信号蓄積部３１がカウント中であるときに、防護領域Ｒ１内で、人が火災を発見し、「火事だ」と発声すると、音声収集部Ｍ１は、この音声（火災確定語句）を収集し、音声認識部２２に送る。
【００４０】
（３）そして、音声収集部Ｍ１が収集した音声（火災確定語句）を、音声認識部２２が認識し、上記収集した音声が火災確定語句であるかどうかを、音声認識部２２が判断する。音声認識部２２が火災確定語句であると判断すると、音声認識部２２は火災語句確定信号を、制御部３０に出力する。
【００４１】
（４）制御部３０は、火災信号蓄積部３１によるカウント中に、火災語句確定信号を受信すると、カウント解除信号を火災信号蓄積部３１に送信する。カウント解除信号を受信した火災信号蓄積部３１は、カウントを中止する。カウントを中止したときに、火災信号受信部が、火災信号を受信していれば、制御部２０は開放信号を開放信号送信部２３に送る。
【００４２】
（５）開放信号送信部２３は、開放信号を受信すると、予作動弁Ｂ１に開放信号を送り、予作動弁Ｂ１を開放する。また、起動信号がポンプＰ１に送られ、この起動信号によって、ポンプＰ１が起動され、水槽ＷＢ１の水が予作動弁Ｂ１に供給される。
【００４３】
（６）予作動弁Ｂ１が開放されると、消火水がスプリンクラヘッドＳＨ１、ＳＨ２に供給され、スプリンクラヘッドに設けられているハンダが火災の熱等によって溶けると、スプリンクラヘッドＳＨ１、ＳＨ２が放水を開始する。
【００４４】
一方、実施例２において、火災信号蓄積部３１が所定時間のカウントを開始し、カウント中に「火事だ」という発声がない場合、所定時間が経過したかどうかを火災信号蓄積部３１が確認する。そして、所定時間が経過したと火災信号蓄積部３１が判断し、しかも、このときに、火災信号受信部２１が火災信号を受信すれば、制御部３０が火災であると判断し、開放信号を開放信号送信部２３に送り、予作動弁Ｂ１が開放される。したがって、「火事だ」との発声がない場合でも、従来の蓄積処理の後に、予作動弁Ｂ１が開放される。
【００４５】
実施例２によれば、予作動式スプリンクラ消火設備において、人が「火事だ」等の火災確定語句を発声するときは、火災であることを確実に判断できる状況にあるときであり、このときに、蓄積時間をカウント中であれば、カウントをキャンセルし、予作動弁Ｂ１を開放するので、予作動弁Ｂ１を速やかに開放することができる。つまり、人が「火事だ」等の火災確定語句を発声すれば、カウント中であっても（所定時間が経過する前に）、火災であることを、制御部３０が確実に判断できるので、予作動弁Ｂ１を素早く開放でき開放遅れを解消できる。
【００４６】
実施例２によれば、火災語句確定信号と火災信号とのＡＮＤ処理を行っているので、誤報による予作動弁Ｂ１の開放を防止することができる。
【００４７】
上記実施例１、２では、火災確定語句として、「火事だ」等、火事を示す語句またはこの語句を含む語句とし、人が火災を発見した場合に最も発声し易い語句を、火災確定語句とするので、人が火災を発見すると直ちにスプリンクラ消火設備を起動させることができ、したがって、放水遅れが生じ難い。
【００４８】
なお、音声認識部２２を、シーリングプレートや、スプリンクラヘッドＳＨ１、ＳＨ２を覆うコーンシールド等に設けるようにしてもよい。
【００４９】
また、上記実施例では、火災語句確定信号と火災信号とのＡＮＤ処理を行う（両信号を検出する）ことによって、誤報による予作動弁Ｂ１の開放を防止しているが、火災発報に上記ＡＮＤ処理を利用するようにしてもよい。すなわち、火災語句確定信号と火災信号とのＡＮＤ処理を行うことによって、火災発報するようにしてもよい。このように、上記ＡＮＤ処理を火災発報に利用することによって、誤報による火災発報を防止することができる。
【００５０】
また、上記実施例では、予作動式スプリンクラ消火設備において、人が火災確定語句を発声するときは、火災であることを確実に判断できる状況にある場合であるので、火災語句確定信号を検出しただけで予作動弁を開放するようにしてもよい。
【００５１】
さらに、火災確定語句を互いに異なる複数の人が発声した場合にＡＮＤ処理を行うことが考えられる。すなわち、たとえば、男性の声の周波数帯と女声の声の周波数帯とのＡＮＤ処理を行い、両周波数帯を検出できたときに、火災発報するようにしてもよい。また、同性であっても、声の質（声紋）が異なり、この声の質を複数、検出できたときに、火災発報するようにしてもよい。
【符号の説明】
【００５２】
１００…予作動式スプリンクラ消火設備、
ＲＥ１、ＲＥ２…制御盤、
Ｍ１…音声収集部、
Ｂ１…予作動弁、
２０…制御部、
２１…火災信号受信部、
２２…音声認識部、
２３…開放信号送信部、
２００…予作動式スプリンクラ消火設備、
３０…制御部、
３１…火災信号蓄積部。
【図１】
2011189055.tif 000003
【図２】
2011189055.tif 000004
【図３】
2011189055.tif 000005
【図４】
2011189055.tif 000006